【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
圧縮されたシルクフィブロインマトリックスを含む、対象の組織の修復または増強に使用するための注射可能な組成物であって、ここで、圧縮されたシルクフィブロインマトリックスは組織に注射すると膨張し、かつ少なくとも約２週間、組織内でその当初の膨張時容量の少なくとも約１％を保持する、組成物。
【請求項２】
圧縮されたシルクフィブロインマトリックスが、圧縮されたシルクフィブロインマトリックスの容量に対して少なくとも約２倍、容量を膨張させる、請求項１記載の組成物。
【請求項３】
圧縮されたシルクフィブロインマトリックスが両親媒性ペプチドを含まない、請求項１または２記載の組成物。
【請求項４】
両親媒性ペプチドがＲＧＤモチーフを含む、請求項３記載の組成物。
【請求項５】
シルクフィブロインマトリックスが、少なくとも約２週間、少なくとも約６週間、または少なくとも約３ヶ月間、組織内でその当初の膨張時容量の少なくとも約５０％を保持する、請求項１〜４のいずれか一項記載の組成物。
【請求項６】
シルクフィブロインマトリックスが、少なくとも約６ヶ月間、組織内でその当初の膨張時容量の少なくとも約５０％を保持する、請求項１〜５のいずれか一項記載の組成物。
【請求項７】
シルクフィブロインマトリックスが、少なくとも約６週間、組織内でその当初の膨張時容量の少なくとも約６０％を保持する、請求項１〜６のいずれか一項記載の組成物。
【請求項８】
シルクフィブロインマトリックスが、少なくとも約６週間、組織内でその当初の膨張時容量の少なくとも約７０％を保持する、請求項７記載の組成物。
【請求項９】
シルクフィブロインマトリックスが、少なくとも約６週間、組織内でその当初の膨張時容量の少なくとも約８０％を保持する、請求項８記載の組成物。
【請求項１０】
シルクフィブロインマトリックスが、少なくとも約３ヶ月間、組織内でその当初の膨張時容量の少なくとも約７０％を保持する、請求項１〜９のいずれか一項記載の組成物。
【請求項１１】
シルクフィブロインマトリックスが、少なくとも約６週間でその当初の膨張時容量の５０％以下を分解するよう適合されている、請求項１〜１０のいずれか一項記載の組成物。
【請求項１２】
シルクフィブロインマトリックスが、少なくとも約３ヶ月間でその当初の膨張時容量の５０％以下を分解するよう適合されている、請求項１１記載の組成物。
【請求項１３】
シルクフィブロインマトリックスが、少なくとも約６週間でその当初の膨張時容量の３０％以下を分解するよう適合されている、請求項１〜１２のいずれか一項記載の組成物。
【請求項１４】
シルクフィブロインマトリックスが、少なくとも約６週間でその当初の膨張時容量の１０％以下を分解するよう適合されている、請求項１３記載の組成物。
【請求項１５】
シルクフィブロインマトリックスが、少なくとも約３ヶ月間でその当初の膨張時容量の３０％以下を分解するよう適合されている、請求項１〜１４のいずれか一項記載の組成物。
【請求項１６】
シルクフィブロインマトリックスが多孔質である、請求項１〜１５のいずれか一項記載の組成物。
【請求項１７】
多孔質シルクフィブロインマトリックスが、少なくとも約１％、少なくとも約５％、少なくとも約１０％、少なくとも約１５％、または少なくとも約３０％の多孔度を有する、請求項１６記載の組成物。
【請求項１８】
多孔質シルクフィブロインマトリックスが、少なくとも約５０％の多孔度を有する、請求項１７記載の組成物。
【請求項１９】
多孔質シルクフィブロインマトリックスが、少なくとも約７０％の多孔度を有する、請求項１８記載の組成物。
【請求項２０】
孔が約１μｍ〜約１５００μｍのサイズを有する、請求項１６〜１９のいずれか一項記載の組成物。
【請求項２１】
孔が約５０μｍ〜約６５０μｍのサイズを有する、請求項２０記載の組成物。
【請求項２２】
シルクフィブロインマトリックスが、約０．１％ｗ／ｖ〜約３０％ｗ／ｖのシルクフィブロイン溶液から形成される、請求項１〜２１のいずれか一項記載の組成物。
【請求項２３】
シルクフィブロイン溶液が、約０．５％ｗ／ｖ〜約１０％ｗ／ｖである、請求項２２記載の組成物。
【請求項２４】
シルクフィブロイン溶液が、約１％ｗ／ｖ〜約６％ｗ／ｖである、請求項２３記載の組成物。
【請求項２５】
シルクフィブロインマトリックスがフリーザー処理されている、請求項１〜２４のいずれか一項記載の組成物。
【請求項２６】
シルクフィブロインマトリックスが、シルクフィブロイン発泡体である、請求項１〜２５のいずれか一項記載の組成物。
【請求項２７】
注射可能な組成物またはシルクフィブロインマトリックスが少なくとも１つの活性剤をさらに含む、請求項１〜２６のいずれか一項記載の組成物。
【請求項２８】
少なくとも１つの活性剤が、生物学的活性剤、美容活性剤、細胞接着剤、またはそれらの任意の組み合わせである、請求項２７記載の組成物。
【請求項２９】
生物学的活性剤が、治療剤、麻酔剤、細胞成長因子、ペプチド、ペプチド模倣体、抗体またはその一部分、抗体様分子、核酸、多糖類、およびそれらの任意の組み合わせからなる群より選択される、請求項２８記載の組成物。
【請求項３０】
細胞接着剤が、ヒアルロン酸、コラーゲン、架橋ヒアルロン酸／コラーゲン、インテグリン結合分子、キトサン、エラスチン、フィブロネクチン、ビトロネクチン、ラミニン、プロテオグリカン、それらの任意の誘導体、それらの任意のペプチドまたはオリゴ糖変種、およびそれらの任意の組み合わせからなる群より選択される、請求項２８記載の組成物。
【請求項３１】
美容活性剤が、アンチエイジング剤、抗フリーラジカル剤、抗酸化物質、水和剤、美白剤、着色剤、脱色剤、日焼け止め剤、筋弛緩剤、およびそれらの任意の組み合わせからなる群より選択される、請求項２８記載の組成物。
【請求項３２】
細胞をさらに含む、請求項１〜３１のいずれか一項記載の組成物。
【請求項３３】
細胞が幹細胞である、請求項３２記載の組成物。
【請求項３４】
生物学的流体または濃縮物をさらに含む、請求項１〜３３のいずれか一項記載の組成物。
【請求項３５】
生物学的流体または濃縮物が、吸引脂肪、吸引骨髄、またはそれらの任意の組み合わせである、請求項３４記載の組成物。
【請求項３６】
注射可能な組成物またはシルクフィブロインマトリックスがヒドロゲルをさらに含む、請求項１〜３５のいずれか一項記載の組成物。
【請求項３７】
注射可能な組成物またはシルクフィブロインマトリックスが真皮充填材料をさらに含む、請求項１〜３６のいずれか一項記載の組成物。
【請求項３８】
真皮充填材料が、ポリ（メチルメタクリレート）マイクロスフィア、ヒドロキシルアパタイト、ポリ（Ｌ−乳酸）、ヒアルロン酸、コラーゲン、ゼラチン、およびそれらの任意の組み合わせからなる群より選択される、請求項３７記載の組成物。
【請求項３９】
担体をさらに含む、請求項１〜３８のいずれか一項記載の組成物。
【請求項４０】
圧縮されたシルクフィブロインマトリックスが、圧縮前のその当初の容量の約１０％〜約９０％の容量を有する、請求項１〜３９のいずれか一項記載の組成物。
【請求項４１】
圧縮されたシルクフィブロインマトリックスが、圧縮前のその当初の容量の７０％以下の容量を有する、請求項１〜３９のいずれか一項記載の組成物。
【請求項４２】
組織が軟部組織である、請求項１〜４１のいずれか一項記載の組成物。
【請求項４３】
軟部組織が、腱、靭帯、皮膚、乳房組織、繊維組織、結合組織、筋肉、およびそれらの任意の組み合わせからなる群より選択される、請求項４２記載の組成物。
【請求項４４】
軟部組織が皮膚である、請求項４３記載の組成物。
【請求項４５】
軟部組織が乳房組織である、請求項４４記載の組成物。
【請求項４６】
対象が哺乳動物対象である、請求項１〜４５のいずれか一項記載の組成物。
【請求項４７】
哺乳動物対象がヒトである、請求項４６記載の組成物。
【請求項４８】
シルクフィブロインマトリックスが、シルクフィブロインマトリックスを送達用アプリケーターの内部空間にロードすることによって圧縮され、ここで、内部空間は、未圧縮状態のシルクフィブロインマトリックスの容量よりも小さい容量を有する、請求項１〜４７のいずれか一項記載の組成物。
【請求項４９】
送達用アプリケーターが、針、カニューレ、カテーテル、またはそれらの任意の組み合わせを含む、請求項４８記載の組成物。
【請求項５０】
請求項１〜４９のいずれか一項記載の注射可能な組成物を含む、送達デバイス。
【請求項５１】
注射可能な組成物を修復または増強したい組織に導入するための管状構造をさらに含む、請求項５０記載の送達デバイス。
【請求項５２】
管状構造が先細である、請求項５１記載の送達デバイス。
【請求項５３】
先細管状構造が円錐形の内部空間を含む、請求項５２記載の送達デバイス。
【請求項５４】
管状構造が針、カニューレ、カテーテル、またはそれらの任意の組み合わせである、請求項５０〜５３のいずれか一項記載の送達デバイス。
【請求項５５】
管状構造を通じた圧縮されたシルクフィブロインマトリックスの出射を促進する機械的要素をさらに含む、請求項５０〜５４のいずれか一項記載の送達デバイス。
【請求項５６】
注射用担体をさらに含む、請求項５０〜５５のいずれか一項記載の送達デバイス。